(57)【要約】      （修正有）【課題】構造簡単で、安定的に高周波伝送できるソケットコネクターを提供する。【解決手段】所定の間隔で平行配列する複数の凹溝１３１１１とチャンネル１３１１２が形成される絶縁本体と、該絶縁本体に設けられると共に、該凹溝に嵌設される突出端１１１と、該突出端と連接する延伸部１１２と、該延伸部と直交する第１脚端１１３を有する複数の第１端子１１と、該絶縁本体に設けられると共に、球面を有する弾性端１２１と、該弾性端と連接する連接部１２２と、該連接部と直交する第２脚端１２３を有し、該第２脚端と該連接部との連接箇所に湾曲部１２４が設けられ、該連接部が該チャンネルと係合する複数の第２端子１２と、該絶縁本体の外部に設けられる金属カバーとを備える。【選択図】図２
0003151487.tif 000002
【実用新案登録請求の範囲】
【請求項１】
所定の間隔で平行配列する複数の凹溝とチャンネルが形成される絶縁本体と、
該絶縁本体に設けられると共に、該凹溝に嵌設される突出端と、該突出端と連接する延伸部と、該延伸部と直交する第１脚端を有する複数の第１端子と、
該絶縁本体に設けられると共に、球面を有する弾性端と、該弾性端と連接する連接部と、該連接部と直交する第２脚端を有し、該第２脚端と該連接部との連接箇所に湾曲部が設けられ、該連接部が該チャンネルと係合する複数の第２端子と、
該絶縁本体の外部に設けられる金属カバーとを備えることを特徴とするソケットコネクター。
【請求項２】
前記絶縁本体は、互いに結合される第１絶縁部材と第２絶縁部材を有することを特徴とする請求項１に記載のソケットコネクター。
【請求項３】
前記第１絶縁部材は、第１本体と第１突出部を有し、該第１本体に該凹溝と該チャンネルが形成され、該第１突出部が該凹溝に対して該第１本体の他端に位置され、その上に該第１本体と垂直される係合孔と、該第１本体と平行される貫通孔と、該第１突出部の両側に位置される係合溝と、該係合孔の他側に位置される係止溝とが形成されることを特徴とする請求項２に記載のソケットコネクター。
【請求項４】
前記第２絶縁部材は、第２本体と第２突出部を有し、該第２本体の一端に該第１端子と対応する複数の第１挿入孔と、該第２端子と対応する複数の第２挿入孔と、該第１絶縁部材の係合孔と対応する貫通孔とが形成されることを特徴とする請求項３に記載のソケットコネクター。
【請求項５】
前記金属カバーは、四つの側プレートを有し、該側プレートに弾性プレートと、該第１絶縁部材の係合溝と対応する係合部材と、該金属カバーを該絶縁本体の係止溝と結合するための係止部材と、一対の挿入脚が設けられることを特徴とする請求項４に記載のソケットコネクター。
【請求項６】
前記第１端子は、USB2.0端子であることを特徴とする請求項５に記載のソケットコネクター。
【請求項７】
前記第２端子は、USB3.0端子であることを特徴とする請求項５に記載のソケットコネクター。
【考案の詳細な説明】
【技術分野】
【０００１】
本考案は、特に構造簡単で、安定的に高周波伝送できるソケットコネクターに関するものである。
【背景技術】
【０００２】
USB（Universal Serial Bus：ユニバーサル・シリアル・バス）は、コンピュータに周辺機器を接続するためのシリアルバス規格の一つである。
最初の規格となるUSB1.0は1996年に登場した。現在のパーソナルコンピュータ及びその周辺において、最も普及した汎用インターフェイス規格の1つである。
更に、インテルから発表したUSB2.0の登場によって転送速度とシステム負荷の軽減に大幅な向上がみられ、高速転送が必要なために従来のIDEやSCSIなど・IEEE1394・イーサネット（登録商標）などが必要だった機器との接続にも用いられている。
故に、USBメモリー、プリンタ又はマウスなど周辺機器にUSB伝送インターフェイスがよく使用されている。
尚、このUSB伝送インターフェイスはよく使用されるため、特に特許文献や非特許文献に記載されていない。
【考案の概要】
【考案が解決しようとする課題】
【０００３】
伝送ファイルの容量の膨大化に伴い、USB2.0の伝送インターフェイスは、制御チップと様々な原因によって既に使用の需要に満足できないので、新たなUSB3.0伝送インターフェイスが開発された。
USB3.0伝送インターフェイスは、既にある構造と特徴を有する以上、伝送スピードがUSB2.0伝送インターフェイスの１０倍でもあり、そして省エネの効果を有する。
【０００４】
しかしながら、USB3.0伝送インターフェイスは、上述の効果を有する一方、その構造も複雑になり、更に一組の端子が追加されることにより、製造コストを向上してしまうという問題があり、且つ追加した端子と既に有する端子との間に伝送の干渉で伝送の安定性に悪影響を与える恐れがある。
【０００５】
そこで、案出されたのが本考案であって、構造簡単で、安定的に高周波伝送できるソケットコネクターを提供することを目的としている。
【課題を解決するための手段】
【０００６】
本願の請求項１の考案は、所定の間隔で平行配列する複数の凹溝とチャンネルが形成される絶縁本体と、
該絶縁本体に設けられると共に、該凹溝に嵌設される突出端と、該突出端と連接する延伸部と、該延伸部と直交する第１脚端を有する複数の第１端子と、
該絶縁本体に設けられると共に、球面を有する弾性端と、該弾性端と連接する連接部と、該連接部と直交する第２脚端を有し、該第２脚端と該連接部との連接箇所に湾曲部が設けられ、該連接部が該チャンネルと係合する複数の第２端子と、
該絶縁本体の外部に設けられる金属カバーとを備えることを特徴とするソケットコネクター、を提供する。
【０００７】
本願の請求項２の考案は、前記絶縁本体は、互いに結合される第１絶縁部材と第２絶縁部材を有することを特徴とする請求項１に記載のソケットコネクター、を提供する。
【０００８】
本願の請求項３の考案は、前記第１絶縁部材は、第１本体と第１突出部を有し、該第１本体に該凹溝と該チャンネルが形成され、該第１突出部が該凹溝に対して該第１本体の他端に位置され、その上に該第１本体と垂直される係合孔と、該第１本体と平行される貫通孔と、該第１突出部の両側に位置される係合溝と、該係合孔の他側に位置される係止溝とが形成されることを特徴とする請求項２に記載のソケットコネクター、を提供する。
【０００９】
本願の請求項４の考案は、前記第２絶縁部材は、第２本体と第２突出部を有し、該第２本体の一端に該第１端子と対応する複数の第１挿入孔と、該第２端子と対応する複数の第２挿入孔と、該第１絶縁部材の係合孔と対応する貫通孔とが形成されることを特徴とする請求項３に記載のソケットコネクター、を提供する。
【００１０】
本願の請求項５の考案は、前記金属カバーは、四つの側プレートを有し、該側プレートに弾性プレートと、該第１絶縁部材の係合溝と対応する係合部材と、該金属カバーを該絶縁本体の係止溝と結合するための係止部材と、一対の挿入脚が設けられることを特徴とする請求項４に記載のソケットコネクター、を提供する。
【００１１】
本願の請求項６の考案は、前記第１端子は、USB2.0端子であることを特徴とする請求項５に記載のソケットコネクター、を提供する。
【００１２】
本願の請求項７の考案は、前記第２端子は、USB3.0端子であることを特徴とする請求項５に記載のソケットコネクター、を提供する。
【考案の効果】
【００１３】
本考案は上記の課題を解決するものであり、USB2.0端子である第１端子とUSB3.0端子である第２端子が設けられることにより、より高速な伝送を行うことができると共に、簡単の構造で製造コストを降下する効果を有する。
【図面の簡単な説明】
【００１４】
【図１】本考案に係るソケットコネクターの斜視図である。
【図２】本考案に係るソケットコネクターの内部部件を示す分解斜視図である。
【図３】本考案に係るソケットコネクターの内部部件を示す他の分解斜視図である。
【図４】本考案に係るソケットコネクターにおける絶縁本体の分解斜視図であり、その中、第１端子と第２端子が該第１絶縁部材に設けられている。
【図５】本考案に係るソケットコネクターの内部部件を示す斜視図である。
【図６】本考案に係るソケットコネクターの正面図である。
【図７】図６のＡ-Ａ線断面図である。
【図８】図６のＢ-Ｂ線断面図である。
【図９】本考案に係るソケットコネクターの他の斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１に示すように、本考案に係わるソケットコネクター（１）は、プラグコネクター（符号なし）を連接するために用いられ、五つの第１端子（１１）と、四つの第２端子（１２）と、絶縁本体（１３）と、金属カバー（１４）とを備える。
【００１７】
図２乃至図５に示すように、該第１端子（１１）は、互いに平行して配列するUSB2.0端子であり、突出端（１１１）と、延伸部（１１２）と、第１脚端（１１３）とを有し、該延伸部（１１２）は、該突出端（１１１）と第１脚端（１１３）と連接され、幅が該突出端（１１１）より狭く、該第１脚端（１１３）は、該延伸部（１１２）と直交される。
【００１８】
該第２端子（１２）は、該第１端子（１１）と平行して交差配列するUSB3.0端子であり、弾性端（１２１）と、連接部（１２２）と、第２脚端（１２３）とを有し、該弾性端（１２１）は、突出の球面（１２１１）を有し、該連接部（１２２）は、該弾性端（１２１）と第２脚端（１２３）と連接され、該第２脚端（１２３）は、該連接部（１２２）と直交しながら、該連接部（１２２）と連接箇所に湾曲部（１２４）が設けられ、該湾曲部（１２４）は、プラグコネクターを挿入する際、緩衝効果を提供することにより、該第２端子（１２）の変形問題を防止できる。
【００１９】
該絶縁本体（１３）は、第１絶縁部材（１３１）と第２絶縁部材（１３２）を有し、該第１絶縁部材（１３１）に第１端子（１１）と第２端子（１２）が嵌設されると共に、第１本体（１３１１）と第１突出部（１３１２）を有し、該第１本体（１３１１）に該第１端子（１１）の延伸部（１１２）が設けられると共に、第１表面（符号なし）を有し、該第１表面の一端に所定の間隔で平行配列する複数の凹溝（１３１１１）が形成され、該凹溝（１３１１１）に該第１端子（１１）の突出端（１１１）が設けられ、該第１表面の中央に平行する複数のチャンネル（１３１１２）が形成され、該チャンネル（１３１１２）に該第２端子（１２）の連接部（１２２）が設置され、該弾性端（１２１）の球面（１２１１）が該チャンネル（１３１１２）から露出され、該第１突出部（１３１２）が該凹溝（１３１１１）に対して該第１本体（１３１１）の他端に設けられると共に、その上に該第１本体（１３１）と垂直される係合孔（１３１２１）と、該第１本体（１３１）と平行される貫通孔（１３１２２）と、該第１突出部（１３１２）の両側に位置される係合溝（１３１２３）と、該係合孔（１３１２１）の他側に位置される係止溝（１３１２４）とが形成され、該第２脚端（１２３）が該貫通孔（１３１２２）から突出される。
【００２０】
該第２絶縁部材（１３２）は、該第１絶縁部材（１３１）と結合される。該第２絶縁部材（１３２）は、第２本体（１３２１）と第２突出部（１３２２）を有し、該第２本体（１３２１）が該第１本体（１３１）と対応する第２表面（符号なし）を有し、該第２本体（１３２１）の一端に夫々該第１端子（１１）と該第２端子（１２）と対応する複数の第１挿入孔（１３２１１）と第２挿入孔（１３２１２）が形成され、該第２表面に該第１絶縁部材（１３１）の係合孔（１３１２１）と対応する係止部材（１３２１３）が設けられ、該第２突出部（１３２２）は、該第２本体（１３２１）と一体形成されると共に、該第１挿入孔（１３２１１）と第２挿入孔（１３２１２）の一側に位置され、且つ該第１挿入孔（１３２１１）と第２挿入孔（１３２１２）と連通する貫通孔（１３２２１）が形成される。
【００２１】
図５乃至図８に示すように、該第１端子（１１）、第２端子（１２）及び絶縁本体（１３）を組み合わせた後、該第１端子（１１）の延伸部（１１２）が該絶縁本体（１３）の内部に位置され、該突出端（１１１）が該絶縁本体（１３）の凹溝（１３１１１）に位置され、該第２端子（１２）と該第１端子（１１）は互いに交差配列され、且つ該第２端子（１２）の連接部（１２２）が該第１端子（１１）の延伸部（１１２）より短いと共に、該第１本体（１３１１）のチャンネル（１３１１２）に位置される。プラグコネクタが本考案のソケットコネクター（１）に挿入される時、該第１端子（１１）と第２端子（１２）が互いに干渉しないので、高周波伝送の効果に影響を与えない。
【００２２】
図１、図３及び図９に示すように、該金属カバー（１４）は、該絶縁本体（１３）の外部に設けられると共に、四つの側プレート（符号なし）を有し、該側プレートに弾性プレート（１４１）が設けられることにより、本考案のソケットコネクター（１）がプラグコネクターと緊密に結合することができ、該金属カバー（１４）に該第１絶縁部材（１３１）の係合溝（１３１２３）と対応しあう係合部材（１４２）が設けられ、該金属カバー（１４）の一側面に係止部材（１４３）が設けられることにより、該金属カバー（１４）が該絶縁本体（１３）の係止溝（１３１２４）に設置されることができ、又、該係合部材（１４２）と係止部材（１４３）により、金属カバー（１４）と絶縁本体（１３）を安定的に結合させることができる。又、該金属カバー（１４）に更に一対の挿入脚（１４４）が設けられることにより、本考案のソケットコネクター（１）が回路板（符号なし）に設置することができる。該挿入脚（１４４）に突出部（１４４１）が設けられることにより、ソケットコネクター（１）と回路板の結合効果を向上すると共に、回路板の損耗を減少することができる。
【産業上の利用可能性】
【００２３】
本考案は上記の構成を有するので、USB2.0端子である第１端子とUSB3.0端子である第２端子が設けられることにより、より高速な伝送を行うことができると共に、簡単の構造で製造コストを降下する効果を有する。
【符号の説明】
【００２４】
１          ソケットコネクター
１１        第１端子
１１１      突出端
１１２      延伸部
１１３      第１脚端
１２        第２端子
１２１      弾性端
１２１１    球面
１２２      連接部
１２３      第２脚端
１２４      湾曲部
１３        絶縁本体
１３１      第１絶縁部材
１３１１    第１本体
１３１１１  凹溝
１３１１２  チャンネル
１３１２    第１突出部
１３１２１  係合孔
１３１２２  貫通孔
１３１２３  係合溝
１３１２４  係止溝
１３２      第２絶縁部材
１３２１    第２本体
１３２１１  第１挿入孔
１３２１２  第２挿入孔
１３２１３  係止部材
１３２２    第２突出部
１３２２１  貫通孔
１４        金属カバー
１４１      弾性プレート
１４２      係合部材
１４３      係止部材
１４４      挿入脚
１４４１    突出部
【図１】
0003151487.tif 000003
【図２】
0003151487.tif 000004
【図３】
0003151487.tif 000005
【図４】
0003151487.tif 000006
【図５】
0003151487.tif 000007
【図６】
0003151487.tif 000008
【図７】
0003151487.tif 000009
【図８】
0003151487.tif 000010
【図９】
0003151487.tif 000011